(57)【要約】【課題】  箒とちりとりとの着脱を片手で簡単かつ迅速に行い得る清掃用具セットを提供する。【解決手段】  垂直方向の柄部１を有するちりとり２と、このちりとり２の柄部１の上部に着脱自在に取付け得る柄部４を有する箒３を、具備する。箒３の柄部４の断面は略楕円状である。ちりとり２の柄部１の上部には、一対の弾性挾持突片５，５を有する。この挾持突片５，５は、箒３の柄部４の断面形状の略楕円状の小曲率半径部に対応した凹曲面部を有する。【選択図】  図２
2005245665.tif 000002
【特許請求の範囲】
【請求項１】
垂直方向の柄部を有するちりとりと、該ちりとりの上記柄部に着脱自在な箒を具備する清掃用具セットであって、
上記箒の柄部の断面形状が略楕円状であって、
上記ちりとりの柄部に、上記箒の柄部を挾持するための一対の弾性挾持突片を形成し、一対の該弾性挾持突片が、上記箒の柄部の断面形状の上記略楕円状の小曲率半径部に対応した凹曲面部を有し、上記一対の弾性挾持片の凹曲面部にて上記箒の柄部を挾持可能に構成したことを特徴とする清掃用具セット。
【請求項２】
箒の柄部が、その上端近傍に段付部を有し、該段付部を弾性挾持突片の上面に摺動させつつ回転させて上記箒の柄部をちりとりの柄部に着脱自在とした請求項１記載の清掃用具セット。
【請求項３】
ちりとりが、前面開口有底半円錐殻状のちりとり本体を有し、該ちりとり本体の内部に箒の植毛部を回転収納可能に構成した請求項１又は２記載の清掃用具セット。
【請求項４】
箒の植毛部の取付部側縁部を、丸みを帯びたアール形状とした請求項１，２又は３記載の清掃用具セット。
【発明の詳細な説明】
【技術分野】
【０００１】
本発明は、清掃用具セットに関する。
【背景技術】
【０００２】
従来、箒とちりとりをセットにした掃除用具セットは、箒の柄部が断面円形であって、かつ、ちりとりの柄部が、箒の柄部を挾持するための一対の弾性挾持突片を有するものが公知である（例えば、特許文献１の図１参照）。
【０００３】
しかし、箒をちりとりに着脱する際に、一方の手で箒を持ち、他方の手でちりとりを持って、着脱を行う必要があるとともに、比較的大きな押込力（引抜力）を必要とするので、手間がかかっていた。
【特許文献１】特開２００１−１９８０６９号公報
【発明の開示】
【発明が解決しようとする課題】
【０００４】
解決しようとする課題は、箒とちりとりの着脱を行う際に手間がかかる点である。
【課題を解決するための手段】
【０００５】
そこで、本発明に係る清掃用具セットは、垂直方向の柄部を有するちりとりと、該ちりとりの上記柄部に着脱自在な箒を具備する清掃用具セットであって、上記箒の柄部の断面形状が略楕円状であって、上記ちりとりの柄部に、上記箒の柄部を挾持するための一対の弾性挾持突片を形成し、一対の該弾性挾持突片が、上記箒の柄部の断面形状の上記略楕円状の小曲率半径部に対応した凹曲面部を有し、上記一対の弾性挾持片の凹曲面部にて上記箒の柄部を挾持可能に構成したものである。また、箒の柄部が、その上端近傍に段付部を有し、該段付部を弾性挾持突片の上面に摺動させつつ回転させて上記箒の柄部をちりとりの柄部に着脱自在としたものである。また、ちりとりが、前面開口半円錐殻状のちりとり本体を有し、該ちりとり本体の内部に箒の植毛部を回転収納可能に構成したものである。また、箒の植毛部の側縁部を、丸みを帯びたアール形状としたものである。
【発明の効果】
【０００６】
本発明の清掃用具セットによれば、箒とちりとりを片手で容易に着脱することができる。しかも、確実に箒を吊下状に、ちりとりの柄部に、保持できる。また、箒の取着・取外しのとき、ちりとり本体等に干渉せず、スムースに回転しつつ行い得る。
【発明を実施するための最良の形態】
【０００７】
図１〜図８は、本発明の実施の一形態を示す。この清掃用具セットは、垂直方向の柄部１を有するちりとり２と、ちりとり２の柄部１に着脱自在に取着できる箒３を具備する。清掃するときには、箒３をちりとり２から離脱させて、箒３にてゴミを掃き集め、ちりとり２にて集めたゴミを回収する。清掃が終わったら、箒３をちりとり２に保持させる。
【０００８】
箒３の柄部４の断面形状は楕円形や長円形やトラック形状等の略楕円状に形成されている（図６〜図８参照）。
ちりとり２の柄部１に、箒３の柄部４を挾持するための一対の弾性挾持突片５，５が形成されている。一対の弾性挾持突片５，５が、箒３の柄部４の断面形状の略楕円状の小曲率半径部22に対応した凹曲面部６，６を有する。一対の弾性挾持片５，５の凹曲面部６，６にて箒３の柄部４を挾持可能に構成されている（図６〜図８参照）。
【０００９】
箒３の柄部４は、その上端７近傍に段付部８を有する。つまり、アルミ製等の金属製柄部４の上端７にプラスチック製グリップ部14を有し、このグリップ部14の下端面をもって段付部８とする。段付部８を弾性挾持突片５の上面９に摺動させつつ回転させて箒３の柄部４をちりとり２の柄部１に着脱自在とされている。言い換えると、箒３の段付部８にて首吊り状に箒３は吊下げられる。
ちりとり２は、前面開口半円錐殻状のちりとり本体10を有し、ちりとり本体10の内部に箒３の植毛部11が回転収納可能に構成されている。すなわち、ちりとり本体10の周壁面部12が、前方へ延設されている。言い換えると、ちりとり本体10の底壁13の平面視形状は、半円形を前方へ拡大した形状である。ちりとり本体10の材質はプラスチックとするのが好ましい。
【００１０】
そして、箒３の植毛部11の（プラスチック製）取付部12の（左右の）側縁部13, 13は、図１（Ａ）（Ｂ）（Ｃ）に示すように、丸みを帯びたアール形状に形成されている。取付部12は正面視が略三角形状として窓部15が開口された形状である（図１（Ａ）参照）。
ちりとり２の柄部１の断面形状と材質は、箒３の柄部４と、同様（同一）とする（図６〜図８参照）。製作が容易となり、素材の種類も減少できて好都合である。
【００１１】
さらに、具体的に説明すると、円錐殻状のちりとり本体10は、正面視三角形状であり、これに対応して、箒３の取付部12と植毛部11は、やや小さな（正面視）三角形状である。なお、図１では、植毛部11の下端は水平に対し僅かに傾斜して切断されている。図１（Ｂ）は図１のＡ−Ａ断面図であるが、矢印Ｍ方向へ箒３を回転可能であると共に、丸味（アール）を有する側縁部13が、横断面半円形のちりとり本体10の前端縁10ａ，10ａに当たったとしても、スムースに逃げつつ回転できる。２点鎖線Ｎは、取付部12の側端縁13の回転時の軌跡を示し、ちりとり本体10の内部をスムースに回転可能であることを示す。なお、植毛部11についても同様であって、ちりとり本体10の内部をスムースに回転可能な寸法・形状に設定されている。
なお、図１（Ｃ）に示すように、取付部12の左右斜辺の横断面形状を略扇型として、強度も十分に保っている。
【００１２】
次に、図２と図３に示すように、ちりとり本体10は、底面視（平面視）が、半円形に略低台形を加えた形状の底壁部16を有する。かつ、その底壁部16の前端縁には、弾性変形自在なプラスチック製リップ片17が固着されている。側面から見ると、図２のように、前端縁10ａ，10ａは下方が前方へ延びるように僅かに傾斜状であって、箒の植毛部11が側方からはほとんど見えないように隠している。
ちりとり２は、その柄部１の上端に後方へ折曲った倒立Ｌ字形のプラスチック製のグリップ部材18を有する。具体例では、このグリップ部材18と一体に弾性挾持突片５，５が形成されており、部品点数の低減と、構造の簡素化と強度アップが図られている。
【００１３】
図６に示すように、左右一対の弾性挾持突片５，５は、（その内面によって、）前方へ略拡大状の凹溝19が形成され、その内面の前後中間に、小さな曲率半径の凹曲面部６が形成され、かつ、それよりも前方には誘導勾配面20が形成され、矢印Ｐ方向にスムースに柄部４を誘導案内する。
その後、図７のように、矢印Ｑのように片手で箒３の上端７のグリップ部14を、回転させると、弾性的に一対の弾性挾持突片５，５を開拡しつつ、凹曲面部６，６間に、柄部４の略楕円状の小曲率半径部22，22が弾発的に接触して、小曲率半径部22, 22が弾性挾持突片５，５にて、弾発的に挾持（保持）される。この時、図２と図５のように、段付部８にて、下方へ箒が移動するのを防ぎつつ、スムースに矢印Ｑのように（つまり、図７から図８のように）回転して、確実に、図１と図２と図５の取着（吊下げ）状態となる。倒立Ｌ字状の前述したグリップ部材18を片手の一部の指で握りつつ、他の指で矢印Ｑ方向（又は逆方向）に柄部４を回転させれば、片手にて、容易かつ迅速に、箒３の弾発挾持突片５，５への、取付け及び離脱を、行い得る。
【００１４】
本発明は、上述のように、垂直方向の柄部１を有するちりとり２と、該ちりとり２の上記柄部１に着脱自在な箒３を具備する清掃用具セットであって、上記箒３の柄部４の断面形状が略楕円状であって、上記ちりとり２の柄部１に、上記箒３の柄部４を挾持するための一対の弾性挾持突片５，５を形成し、一対の該弾性挾持突片５，５が、上記箒３の柄部４の断面形状の上記略楕円状の小曲率半径部22, 22に対応した凹曲面部６，６を有し、上記一対の弾性挾持片５，５の凹曲面部６，６にて上記箒３の柄部４を挾持可能に構成したので、箒３のちりとり２への着脱を、（片手でも）容易かつ迅速に（スムースに）行うことが可能となる。
【００１５】
また、箒３の柄部４が、その上端７近傍に段付部８を有し、該段付部８を弾性挾持突片５の上面９に摺動させつつ回転させて上記箒３の柄部４をちりとり２の柄部１に着脱自在としたので、一層スムースに片手で箒３のちりとり２への着脱を容易かつ迅速に行い得る。
また、ちりとり２が、前面開口半円錐殻状のちりとり本体10を有し、該ちりとり本体10の内部に箒３の植毛部11を回転収納可能に構成したり、さらには、箒３の植毛部11の取付部12の側縁部13, 13を、丸みを帯びたアール形状とすることによって、セットとして持ち運びしやすく、かつ、箒３をちりとり２へ着脱する際に、植毛部11がちりとり本体10内面に干渉せずに、箒３のさらにスムースな着脱を行い得る。
【図面の簡単な説明】
【００１６】
【図１】本発明の実施の一形態を示す図であり、同図（Ａ）は正面図、同図（Ｂ）は同図（Ａ）のＡ−Ａ断面図、同図（Ｃ）は要部拡大断面図である。
【図２】側面図である。
【図３】平面図である。
【図４】要部斜視図である。
【図５】要部説明側面図である。
【図６】作用説明図である。
【図７】作用説明図である。
【図８】作用説明図である。
【符号の説明】
【００１７】
１  柄部
２  ちりとり
３  箒
４  柄部
５  弾性挾持突片
６  凹曲面部
８  段付部
10  ちりとり本体
11  植毛部
12  取付部
13  側縁部
22  小曲率半径部
【図１】
2005245665.tif 000003
【図２】
2005245665.tif 000004
【図３】
2005245665.tif 000005
【図４】
2005245665.tif 000006
【図５】
2005245665.tif 000007
【図６】
2005245665.tif 000008
【図７】
2005245665.tif 000009
【図８】
2005245665.tif 000010